(57)【要約】  本発明は、薬物送達デバイスであって、開口部（１２）を含むハウジング（５、１０）と、ピストンロッド（１１）であり、近位端と、遠位端と、ハウジング（５、１０）に対するピストンロッド（１１）の遠位または近位方向運動の間ピストンロッド（１１）を案内するように開口部（１２）に係合するように適用されたインターフェース（１４）を含む少なくとも一部分と、遠位端に配置された少なくとも１つの第１の取り付け要素（１５）とを有する、ピストンロッド（１１）と、ピストンロッド（１１）の遠位端に支承部（１６）を回転可能に取り付けるための少なくなくとも１つの第２の取り付け要素（１７、１８）を含む支承部（１６）とを含む、薬物送達デバイスに関する。少なくとも１つの第１の取り付け要素（１５）および／または少なくとも１つの第２の取り付け要素（１７、１８）は、ピストンロッド（１１）と支承部（１６）のスナップ係合のために径方向に弾性的に変形可能である。開口部（１２）は、少なくとも１つの第１の取り付け要素（１５）および少なくとも１つの第２の取り付け要素（１７、１８）を互いに取り付けた場合それらを受けるが、少なくとも１つの第１の取り付け要素（１５）および少なくとも１つの第２の取り付け要素（１７、１８）を開口部（１２）に受け入れた場合それらの係合解除を阻止するように適用された外形を有する少なくとも１つの部分を含む。さらに、本発明は、薬物送達デバイスの組み立て方法に関する。【選択図】図３
2021531123.tif 000002
【特許請求の範囲】
【請求項１】
薬物送達デバイスであって、
開口部（１２）を含むハウジング（５、１０）と、
近位端と、遠位端と、ハウジング（５、１０）に対するピストンロッド（１１）の遠位または近位方向運動の間ピストンロッド（１１）を案内するように開口部（１２）に係合するように適用されたインターフェース（１４）を含む少なくとも一部分と、遠位端に配置された少なくとも１つの第１の取り付け要素（１５）とを有する、ピストンロッド（１１）と、
該ピストンロッド（１１）の遠位端に支承部（１６）を回転可能に取り付けるための少なくなくとも１つの第２の取り付け要素（１７、１８）を含む支承部（１６）と
を含み、
ここで、少なくとも１つの第１の取り付け要素（１５）および／または少なくとも１つの第２の取り付け要素（１７、１８）は、ピストンロッド（１１）と支承部（１６）のスナップ係合のために径方向に弾性的に変形可能であり、
開口部（１２）は、少なくとも１つの第１の取り付け要素（１５）および少なくとも１つの第２の取り付け要素（１７、１８）を互いに取り付けた場合それらを受けるが、少なくとも１つの第１の取り付け要素（１５）および少なくとも１つの第２の取り付け要素（１７、１８）を開口部（１２）に受け入れた場合それらの係合解除を阻止するように適用された外形を有する少なくとも１つの部分を含む、
前記薬物送達デバイス。
【請求項２】
薬物送達デバイスの組み立ての間、ピストンロッド（１１）は、少なくとも１つの第１の取り付け要素（１５）および少なくとも１つの第２の取り付け要素（１７、１８）が開口部（１２）の遠位に位置する遠位取り付け位置と、少なくとも１つの第１の取り付け要素（１５）および少なくとも１つの第２の取り付け要素（１７、１８）が開口部（１２）に受け入れられる近位輸送位置との間で軸方向に動くことができる、請求項１に記載の薬物送達デバイス。
【請求項３】
開口部は、内側ねじ山を備え、ハウジング（５、１０）に対するピストンロッド（１１）の遠位または近位方向運動の間ピストンロッド（１１）を案内するように開口部（１２）に係合するように適用されたインターフェース（１４）は、外側ねじ山（１４）を含む、請求項１または２に記載の薬物送達デバイス。
【請求項４】
少なくとも１つの第１の取り付け要素（１５）および少なくとも１つの第２の取り付け要素（１７、１８）を受けるように適用された外形を有する少なくとも１つの部分は、内側ねじ山（１３）を含む、請求項３に記載の薬物送達デバイス。
【請求項５】
開口部は、非円形断面を備え、ハウジング（５、１０）に対するピストンロッド（１１）の遠位または近位方向運動の間ピストンロッド（１１）を案内するように開口部（１２）に係合するように適用されたインターフェースは、対応する非円形断面を含む、請求項１または２に記載の薬物送達デバイス。
【請求項６】
少なくとも１つの第１の取り付け要素（１５）および少なくとも１つの第２の取り付け要素（１７、１８）を受けるように適用された外形を有する少なくとも１つの部分は、突起を含む、請求項５に記載の薬物送達デバイス。
【請求項７】
支承部（１６）は、カートリッジの栓に当接する円盤を含み、少なくとも１つの第２の取り付け要素（１７、１８）は、円盤の近位側から近位に延びるスピゴット（１７）を含み、該スピゴット（１７）は、少なくとも１つの径方向凹部（１８）を含む、請求項１〜６のいずれか１項に記載の薬物送達デバイス。
【請求項８】
ピストンロッド（１１）の少なくとも１つの第１の取り付け要素（１５）は、支承部（１６）の少なくとも１つの径方向凹部（１８）に係合するように適用された少なくとも１つのスナップフック（１５）を含む、請求項７に記載の薬物送達デバイス。
【請求項９】
ピストンロッド（１１）の少なくとも１つの第１の取り付け要素は、その遠位端にスピゴットを含み、該スピゴットは、少なくとも１つの径方向凹部を含む、請求項１〜６のいずれか１項に記載の薬物送達デバイス。
【請求項１０】
支承部（１６）は、カートリッジの栓に当接する円盤を含み、少なくとも１つの第２の取り付け要素は、円盤の近位側から近位に延びピストンロッド（１１）の少なくとも１つの径方向凹部に係合するように適用された少なくとも１つのスナップフックを含む、請求項９に記載の薬物送達デバイス。
【請求項１１】
ピストンロッド（１１）を遠位方向に変位させるようにピストンロッド（１１）に動作可能に連結された駆動部材（２０）、および／または、用量を選択するようにハウジング（５、１０）に動作可能に連結された用量設定部材（６、８、２２）、および／または、ハウジング（５、１０）に取り付けられ薬剤を含むカートリッジを含むカートリッジホルダ（９）とをさらに含む、請求項１〜１０のいずれか１項に記載の薬物送達デバイス。
【請求項１２】
開口部（１２）は、支承部（１６）とピストンロッド（１１）を互いに取り付けた場合それらの軸方向運動を可能にするが少なくとも１つの第１の取り付け要素（１５）および少なくとも１つの第２の取り付け要素（１７、１８）を開口部（１２）に受け入れた場合それらの係合解除に必要な取り付け要素（１５）のうちの少なくとも１つの弾性変形をブロックする隙間嵌めまたは締り嵌めで少なくとも１つの第１の取り付け要素（１５）および少なくとも１つの第２の取り付け要素（１７、１８）を受けるように適用された外形を有する少なくとも１つの部分を含む、請求項１〜１１のいずれか１項に記載の薬物送達デバイス。
【請求項１３】
薬物送達デバイスの組み立て方法であって、
該デバイスは、少なくとも、開口部（１２）を含むハウジング（５、１０）と、
近位端と遠位端と該遠位端に配置された少なくとも１つの第１の取り付け要素（１５）とを有するピストンロッド（１１）と、
該ピストンロッド（１１）の遠位端に支承部（１６）を回転可能に取り付けるための少なくとも１つの第２の取り付け要素（１７、１８）を含む支承部（１６）とを有し、
該方法は、
ピストンロッド（１１）の遠位端が開口部（１２）を通って遠位に突出するようにピストンロッド（１１）をハウジング（５、１０）に導入する工程と、
その後、少なくとも１つの第１の取り付け要素（１５）および少なくとも１つの第２の取り付け要素（１７、１８）のスナップ係合によって支承部（１６）をピストンロッド（１１）に取り付ける工程と、
その後、少なくとも１つの第１の取り付け要素（１５）および少なくとも１つの第２の取り付け要素（１７、１８）がハウジング（５、１０）の開口部（１２）に少なくとも部分的に受け入れられるまで、ピストンロッド（１１）を近位方向に後退させる工程と：
を含む、前記組み立て方法。
【請求項１４】
ピストンロッド（１１）をハウジング（５、１０）に遠位方向に導入する工程、および／またはピストンロッド（１１）を近位方向に後退させる工程は、ピストンロッド（１１）の回転と並進運動の組合せを含む、請求項１３に記載の組み立て方法。
【請求項１５】
支承部（１６）をピストンロッド（１１）に取り付ける工程は、少なくとも１つの第１の取り付け要素（１５）および／または少なくとも１つの第２の取り付け要素（１７、１８）を径方向に弾性的に変形させることを含む、請求項１３または１４に記載の組み立て方法。
【請求項１６】
支承部（１６）がカートリッジ内の栓に当接するように、薬剤を含むカートリッジを含むカートリッジホルダ（９）をハウジング（５、１０）に取り付ける工程をさらに含む、請求項１３〜１５のいずれか１項に記載の組み立て方法。
【発明の詳細な説明】
【技術分野】
【０００１】
本発明は、一般に、薬剤のいくつかの使用者可変用量を選択し投薬するためのたとえば注射デバイスである薬物送達デバイスを対象とする。本発明は、さらに、薬物送達デバイスの組み立て方法を対象とする。
【背景技術】
【０００２】
ペン型薬物送達デバイスには、正式な医療訓練を受けていない者によって定期的な注射が行われる適用例がある。こうした適用例は、糖尿病の患者の間でますます一般的になっており、自己治療により、このような患者は自身の疾患の効果的な管理を行うことが可能である。実際、このような薬物送達デバイスでは、使用者は、薬剤のいくつかの使用者可変用量を個別に選択し投薬することができる。本発明は、さらに、設定用量の増減ができない所定用量の投薬のみ可能ないわゆる固定用量デバイスも対象とする。
【０００３】
基本的に、２つのタイプの薬物送達デバイス、すなわち：再設定可能デバイス（すなわち、再使用可能なもの）、および再設定不可能（すなわち、使い捨ての）ものがある。たとえば、使い捨てペン送達デバイスは独立型デバイスとして供給される。そのような独立型デバイスには、着脱可能な充填済みカートリッジがない。というより、その充填済みカートリッジは、デバイス自体を壊さなければこれらのデバイスから取り出し、取り替えることができない。したがって、このような使い捨てデバイスは、再設定可能な用量設定機構を有する必要がない。本発明は、両方のタイプのデバイス、すなわち使い捨てデバイスならびに再使用可能デバイスに適用可能である。
【０００４】
これらのタイプのペン送達デバイスは（拡大された万年筆に似ていることが多いのでこのように名づけられた）、一般に、３つの主な要素、すなわち：多くの場合ハウジングまたはホルダに含まれるカートリッジを含むカートリッジセクション；カートリッジセクションの一方端に連結されたニードルアセンブリ；およびカートリッジセクションの他方端に連結された用量投与セクションを含む。カートリッジ（アンプルと呼ばれることが多い）は、典型的には、医薬品（たとえば、インスリン）が充填されているリザーバと、カートリッジリザーバの一方端に位置する可動のゴムタイプの栓またはストッパと、他方の多くの場合くびれている端部に位置し穿孔可能なゴム封止部を有する上部とを含む。典型的には、圧着環状金属バンドが、ゴム封止部を所定位置に保持するのに使用される。典型的には、カートリッジハウジングはプラスチックで作られるが、カートリッジリザーバは従来よりガラスで作られている。
【０００５】
ニードルアセンブリは、典型的には、交換可能な両頭針アセンブリである。注射の前に、交換可能な両頭針アセンブリをカートリッジアセンブリの一方端に取り付け、用量を設定してから、設定用量を投与する。このような着脱可能なニードルアセンブリは、カートリッジアセンブリの穿孔可能な封止端にねじ留めする、または押し付ける（すなわち、カチッと留める）ことができる。
【０００６】
用量投与セクションまたは用量設定機構は、典型的には、ペンデバイスの、用量の設定（選択）に使用される部分である。注射の間、用量設定機構に含まれているスピンドルまたはピストンロッドがカートリッジの栓またはストッパを押す。この力によって、カートリッジに含まれている医薬品が取り付けられたニードルアセンブリを通って注射される。注射の後、大部分の薬物送達デバイスおよび／またはニードルアセンブリ製造業者および供給者によって通常推奨されるように、ニードルアセンブリを取り外して廃棄する。
【０００７】
薬物送達デバイスタイプの別の区分は、駆動機構に関連する：たとえば使用者が注射ボタンに力を加えることによって手で駆動されるデバイス、ばねなどによって駆動されるデバイス、およびこれら２つの概念を組み合わせたデバイス、すなわち使用者が注射力を及ぼすことがやはり必要とされるばね補助式デバイスがある。ばねタイプのデバイスは、予荷重が掛けられているばね、および用量選択中に使用者によって負荷が掛けられるばねを含む。蓄積エネルギーデバイスには、ばね予荷重と、たとえば用量設定中に使用者によってもたらされる追加のエネルギーとの組合せを用いるものがある。
【０００８】
既知の薬物送達デバイスは、典型的には、開口部を含むハウジングと、近位端および遠位端を有するピストンロッドとを含み、ピストンロッドの少なくとも一部分は、ハウジングに対するピストンロッドの遠位または近位方向運動の間ピストンロッドを案内するように開口部に係合するように適用されたインターフェースと、遠位端に配置された少なくとも１つの第１の取り付け要素を備える。支承部は、支承部をピストンロッドの遠位端に回転可能に取り付けるための少なくとも１つの第２の取り付け要素を有するように設けることができる。ピストンロッドまたはスピンドルの遠位端に配置された圧力フットまたは支承部を含む薬物送達デバイスの一例は、特許文献１に示されており、そこでは、支承部は、カートリッジのピストンまたは栓の端部に当接するように配置されている。
【０００９】
特許文献２には、遠位端を有する回転可能スピンドルと、スピンドルに対する支承部の独立した動きを防ぐために支承部をスピンドルに固定的に取り付けるウェブを含む第１の連結を介してスピンドルの遠位端に取り付けられた円盤形支承部とを含む、スピンドルと支承部を組み合わせたものが開示されている。この第１の連結は、組み立ての間、ウェブが切断（剪断）されウェブが支承部から連結解除されたときに作り出される第２の連結によって取って代わられる。第２の連結は、回転する継手連結、すなわちスピンドルが自由に回転することができるものである。
【００１０】
そのような薬物送達デバイスの組み立ては、機構サブアセンブリを提供する第１の組み立て工程シーケンスを含むことができ、この機構サブアセンブリには、カートリッジとの結合による最終組み立てが施される。最終組み立ては、機構サブアセンブリが生産される場所から離れた場所で行うことができる。これは、支承部およびピストンロッドを含む機構サブアセンブリの輸送および収納を含むことがある。
【００１１】
いくつかの薬物送達デバイスでは、ピストンロッドは、デバイスの近位（ボタン）端から、ハウジングのたとえばねじ付開口部を通って組み付けなければならない。これは、支承部のための任意のスナップ連結機能の直径がハウジングのねじ形態の内部ボアの直径未満であることを必要とする。この直径は、たとえば３ｍｍしかなく、それによって頑丈なスナップ連結の設計がより難しくなる。
【００１２】
投薬の間のピストンロッドからの軸方向負荷は、可能な限り点接触に近い接触面を用いて支承部に伝達されなければならない。これは、投薬中にピストンロッドが支承部に対してスピンしたときの摩擦の影響を低減させるためである。この点接触は、デバイスの軸上でなければならず、したがって、ピストンロッドはこの軸上でスピンするので、点接触は軸から逸脱することはない。
【００１３】
さらに、支承部をピストンロッドに連結することに使用される機能は、これらの２つの部材を作る成形型の設計に任意の追加の複雑さを加えずに成形可能でなければならない。本質的に、これは、可能であれば、機能が単純な開閉ツーリング構造および必要に応じて最大２つのスライドにより成形可能でなければならないことを意味する。
【００１４】
一旦取り付けられたら、支承部をピストンロッドの端部から引き離すことは困難でなければならない。これは、最終組み立ての前に機構サブアセンブリを輸送する間、支承部が外れないことを確実にするためである。使い捨てペンの最終組み立て後、支承部は、機構とカートリッジとの間に捕らえられ、したがってこの段階での外れる危険は最低限に抑えられる。さらに、一部が投薬されると、この支承部保持は、支承部がカートリッジ内にあり軸方向の動きが阻止されるので必要なくなる。
【先行技術文献】
【特許文献】
【００１５】
【特許文献１】ＥＰ２４３７８２１Ｂ１
【特許文献２】ＥＰ２４３７８２７Ｂ１
【発明の概要】
【発明が解決しようとする課題】
【００１６】
したがって、本発明の目的は、組み立てやすいが完成デバイスへ最終的に組み付ける前のサブアセンブリ状態でしっかりと保持される、ピストンロッドとの点接触が好ましい支承部を含む薬物送達デバイスを提供することである。
【課題を解決するための手段】
【００１７】
この目的は、請求項１で定められるような薬物送達デバイスおよび請求項１３で定められるような組み立て方法によって解決される。
【００１８】
本発明による薬物送達デバイスにおいて、少なくとも１つの第１の取り付け要素および／または少なくとも１つの第２の取り付け要素は、ピストンロッドと支承部とのスナップ係合のために径方向に弾性的に変形可能である。さらに、開口部は、少なくとも１つの第１の取り付け要素および少なくとも１つの第２の取り付け要素を互いに取り付けた場合それらを受けるように適用された外形を有する少なくとも１つの部分を含む。その一方、開口部の外形は、開口部が、少なくとも１つの第１の取り付け要素および少なくとも１つの第２の取り付け要素を開口部に受け入れた場合それらの係合解除を阻止するまたは少なくとも妨げるように取り付け要素に適用される。たとえば、開口部の部分は、好ましくは開口部の内側との接触による摩擦なくして支承部とピストンロッドの軸方向運動を可能にする隙間嵌めまたは締り嵌めで第１および第２の取り付け要素を受けるまたは包むように適用させることができる。隙間嵌めまたは締り嵌めは、係合解除に必要な取り付け要素の弾性変形を開口部がブロックするように選ぶことができる。
【００１９】
本発明は、支承部を輸送のための位置にロックして最終的な組み立ての前にそれが抜け落ちる危険を低減させるような方法で、支承部をたとえば使い捨てペン注射器のピストンロッドに取り付けるという概念に基づいている。本発明は、好ましくは、これに限定しないが、デバイスへ最終的に組み付ける前の機構の輸送のために良好な支承保持だけを必要とする使い捨てペン型デバイスに関する。
【００２０】
本発明による薬物送達デバイスは、使用の間、たとえば用量投薬のためにピストンロッドを使用者が引っ張る、押すおよび／または回転させることによって直接動作させることができる、非常に単純な設計を有することができる。代替として、薬物送達デバイスは、少なくとも、用量投薬の間ピストンロッドを遠位に変位させるようにピストンロッドに動作可能に連結された１つの駆動部材、および／または用量選択のためにハウジングに動作可能に連結された用量設定部材をさらに含むことができる。
【００２１】
輸送のために支承部を所定位置にロックするために、薬物送達デバイスの組み立ての間、ピストンロッドは、少なくとも１つの第１の取り付け要素および少なくとも１つの第２の取り付け要素が開口部の遠位に位置する遠位取り付け位置と、少なくとも１つの第１の取り付け要素および少なくとも１つの第２の取り付け要素が開口部に受け入れられる近位輸送位置との間で軸方向に動くことができてよい。換言すると、ピストンロッドが遠位取り付け位置にある場合、それぞれの取り付け要素の径方向拡大が可能になることによって、そうした拡大を開口部は妨げないので、支承部の取り付けが可能になる。その一方で、ピストンロッドが近位輸送位置に後退している場合、ハウジング開口部または開口部のそれぞれの部分は、それぞれの取り付け要素の拡大を阻止し少なくともピストンロッドからの支承部の係合解除を妨げ支承部をピストンロッド上にロックする。
【００２２】
本発明の一例では、開口部は、内側ねじ山を備え、ハウジングに対するピストンロッドの遠位または近位方向運動の間ピストンロッドを案内するように開口部に係合するように適用されたインターフェースは、外側ねじ山を含む。この場合、少なくとも１つの第１の取り付け要素および少なくとも１つの第２の取り付け要素を受けるように適用された外形を有する少なくとも１つの部分は、内側ねじ山を含むことができる。したがって、ピストンロッドの軸方向運動は、典型的には、螺旋経路に沿った回転と変位の組合せを含む。しかし、用量投薬のためのピストンロッドとハウジングの一般的な係合はねじインターフェースの形態であってよいが、短距離、たとえば遠位取り付け位置と近位輸送位置との間の純軸方向変位は、回転なしに可能であってよい。
【００２３】
代替として、開口部は、たとえば溝、スプライン、リブおよび／または平坦化部分の形態の非円形断面を備え、ハウジングに対するピストンロッドの遠位または近位方向運動の間ピストンロッドを案内するように開口部に係合するように適用されたインターフェースは、対応する非円形断面を含む。この場合、少なくとも１つの第１の取り付け要素および少なくとも１つの第２の取り付け要素を受けるように適用された外形を有する少なくとも１つの部分は、突起を含むことができる。
【００２４】
本発明の一例によれば、支承部は、カートリッジの栓に当接する円盤を含むことができ、支承部の少なくとも１つの第２の取り付け要素は、円盤の近位側から近位に延びるスピゴットまたはステムを含むことができる。スピゴットは、ピストンロッドとのスナップ係合を可能にする少なくとも１つの径方向凹部を備えることができる。この場合、ピストンロッドの少なくとも１つの第１の取り付け要素は、支承部の少なくとも１つの径方向凹部に係合するように適用された少なくとも１つのスナップフックを含むことができる。この設計は、この機能を製品またはアセンブリに実装しやすくする市販の既存製品の設計と類似している。換言すると、この構成では、支承部は、ピストンロッドの雌スナップ機能に取り付けられる雄スピゴットを有する。しかし、同様に、ピストンロッドがスピゴットを収容し支承部がたとえば少なくとも１つのスナップフックであるスナップ機能を収容してもよいが、低摩擦動作のためには、スピゴットのドーム形端部は、分割線がないように成形されることが好ましい。ピストンロッドは、（端と端を）逆さに組み付けてもよく、ドーム形端部付きスピゴットを両端に成形する場合、これは２つの追加のスライドを必要とすることになり、それによって、支承部にドームを成形する場合と比べて、ツール当たりの部材キャビティ（ｐａｒｔ  ｃａｖｉｔｉｅｓ）の数がより少なくなりこの部材のツーリングがより複雑になる。
【００２５】
本発明に関して、ハウジングという用語は、デバイスの外側本体またはシェルに限定されない。むしろ、ハウジングは、内部ハウジング構成要素またはインサートとすることができる。そうした内部ハウジング構成要素またはインサートは、別個の構成要素部材であってよく、またはデバイスの外側本体もしくはシェルの一体部分であってもよい。
【００２６】
少なくとも、開口部を含む１つのハウジングと、近位端と遠位端と遠位端に配置された少なくとも１つの第１の取り付け要素とを有するピストンロッドと、ピストンロッドの遠位端に支承部を回転可能に取り付けるための少なくとも１つの第２の取り付け要素を含む支承部とを含む薬物送達デバイスについての本発明による組み立て方法は、ピストンロッドの遠位端が開口部を通って遠位に突出するようにピストンロッドをハウジングにたとえば遠位方向に導入する工程と、その後、少なくとも１つの第１の取り付け要素および少なくとも１つの第２の取り付け要素のスナップ係合によって支承部をピストンロッドに取り付ける工程と、その後、少なくとも１つの第１の取り付け要素および少なくとも１つの第２の取り付け要素がハウジングの開口部に少なくとも部分的に受け入れられるまで、ピストンロッドを近位方向に後退させる工程とを含む。このピストンロッドの後退は、たとえばスナップである取り付け要素の径方向外方への偏向をロックする働きをし、したがって大きな力が掛けられない限り支承部が外れないようになる。
【００２７】
ピストンロッドをハウジングに遠位方向に導入する工程、および／またはピストンロッドを近位方向に後退させる工程は、ピストンロッドのたとえば螺旋経路に沿った回転と並進運動の組合せを含むことができる。さらに、支承部をピストンロッドに取り付ける工程は、少なくとも１つの第１の取り付け要素および／または少なくとも１つの第２の取り付け要素を径方向に弾性的に変形させることを含むことができる。
【００２８】
注射デバイスは、典型的には、薬剤を含むカートリッジを含む。したがって、組み立て方法は、支承部がカートリッジ内の栓に当接するように、薬剤を含むカートリッジを含むカートリッジホルダをハウジングに取り付ける工程をさらに含むことができる。
【００２９】
「薬剤」という用語は、本明細書で用いられる場合、少なくとも１つの薬学的に活性な化合物を含む医薬製剤を意味し、
ここで、一実施形態では、薬学的に活性な化合物は、最大１５００Ｄａまでの分子量を有し、かつ／あるいはペプチド、タンパク質、多糖、ワクチン、ＤＮＡ、ＲＮＡ、酵素、抗体もしくはそのフラグメント、ホルモン、もしくはオリゴヌクレオチド、または上述した薬学的に活性な化合物の混合物であり、
ここで、さらなる実施形態では、薬学的に活性な化合物は、糖尿病もしくは糖尿病に伴う合併症、たとえば、糖尿病性網膜症、血栓塞栓障害、たとえば、深部静脈血栓塞栓症もしくは肺血栓塞栓症、急性冠症候群（ＡＣＳ）、アンギナ、心筋梗塞、癌、黄斑変性、炎症、枯草熱、アテローム硬化症および／または関節リウマチの治療および／または予防に有用であり、
ここで、さらなる実施形態では、薬学的に活性な化合物は、糖尿病または糖尿病に伴う合併症、たとえば、糖尿病性網膜症の治療および／または予防のための少なくとも１つのペプチドを含み、
ここで、さらなる実施形態では、薬学的に活性な化合物は、少なくとも１つのヒトインスリンもしくはヒトインスリンアナログもしくは誘導体、グルカゴン様ペプチド（ＧＬＰ−１）もしくはそのアナログもしくは誘導体、もしくはエキセンジン−３もしくはエキセンジン−４またはエキセンジン−３もしくはエキセンジン−４のアナログもしくは誘導体を含む。
【００３０】
インスリンアナログは、たとえば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；位置Ｂ２８のプロリンがＡｓｐ、Ｌｙｓ、Ｌｅｕ、ＶａｌまたはＡｌａに置き換えられたうえに位置Ｂ２９のＬｙｓがＰｒｏに置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンである。
【００３１】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリンおよびＢ２９−Ｎ−（ω−カルボキシヘプタデカノイル）ヒトインスリンである。
【００３２】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２の配列のペプチドであるエキセンジン−４（１−３９）を意味する。
【００３３】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４  Ｔｒｐ（Ｏ２）２５，Ａｓｐ２８］エキセンジン−４（１−３９）、
ｄｅｓＰｒｏ３６［Ｍｅｔ（Ｏ）１４  Ｔｒｐ（Ｏ２）２５，ＩｓｏＡｓｐ２８］エキセンジン−４（１−３９）；もしくは
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４  Ｔｒｐ（Ｏ２）２５，Ａｓｐ２８］エキセンジン−４（１−３９）、
ｄｅｓＰｒｏ３６［Ｍｅｔ（Ｏ）１４  Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３４】
もしくは、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４  Ａｓｐ２８  Ｐｒｏ３６，Ｐｒｏ３７，Ｐｒｏ３８  エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５  ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容可能な塩もしくは溶媒和物
から選択される。
【００３５】
ホルモンは、たとえば、Ｒｏｔｅ  Ｌｉｓｔｅ、２００８年版、５０章に列挙されている脳下垂体ホルモンまたは視床下部ホルモンまたはレギュラトリー活性ペプチドおよびそれらのアンタゴニスト、たとえば、ゴナドトロピン（フォリトロピン、ルトロピン、コリオンゴナドトロピン、メノトロピン）、ソマトロピン（Ｓｏｍａｔｒｏｐｉｎｅ）（ソマトロピン（Ｓｏｍａｔｒｏｐｉｎ））、デスモプレシン、テルリプレシン、ゴナドレリン、トリプトレリン、リュープロレリン、ブセレリン、ナファレリン、ゴセレリンである。
【００３６】
多糖は、たとえば、グルコサミノグリカン、ヒアルロン酸、ヘパリン、低分子量ヘパリンもしくは超低分子量ヘパリンもしくはそれらの誘導体、もしくは硫酸化形たとえばポリ硫酸化形の上述した多糖、および／またはそれらの薬学的に許容可能な塩である。ポリ硫酸化低分子量ヘパリンの薬学的に許容可能な塩の例は、エノキサパリンナトリウムである。
【００３７】
抗体は、基本構造を共有するイムノグロブリンとしても公知の球状血漿タンパク質（約１５０ｋＤａ）である。これらは、アミノ酸残基に付加された糖鎖を有するので、糖タンパク質である。各抗体の基本的な機能単位はイムノグロブリン（Ｉｇ）単量体（Ｉｇ単位のみを含む）であり、分泌型抗体は、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもありうる。
【００３８】
Ｉｇ単量体は、４本のポリペプチド鎖；システイン残基間のジスルフィド結合によって結合した２本の同一の重鎖および２本の同一の軽鎖からなる「Ｙ」字型の分子である。各重鎖は約４４０アミノ酸長であり、各軽鎖は約２２０アミノ酸長である。重鎖および軽鎖はそれぞれ、これらの折り畳み構造を安定化する鎖内ジスルフィド結合を含む。各鎖は、Ｉｇドメインと呼ばれる構造ドメインで構成される。これらのドメインは、７０〜１１０個のアミノ酸を含み、そのサイズおよび機能に従って異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的なイムノグロブリン折り畳み構造を有する。
【００３９】
α、δ、ε、γ、およびμで表される５タイプの哺乳動物Ｉｇ重鎖が存在する。存在する重鎖のタイプにより抗体のアイソタイプが定義され、これらの鎖はそれぞれ、ＩｇＡ、ＩｇＤ、ＩｇＥ、ＩｇＧ、およびＩｇＭ抗体中に見出される。
【００４０】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）とを有する。１つの種において、定常領域は、同じアイソタイプのすべての抗体で本質的に同一であるが、異なるアイソタイプの抗体では異なる。重鎖γ、αおよびδは、３つのタンデム型のＩｇドメインと、可撓性を加えるためのヒンジ領域とから構成される定常領域を有し、重鎖μおよびεは、４つのイムノグロブリンドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００４１】
哺乳動物では、λおよびκで表される２タイプのイムノグロブリン軽鎖が存在する。軽鎖は、２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を含み、哺乳動物の各抗体につき、軽鎖κまたはλの１つのタイプのみが存在する。
【００４２】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＶＨ）について３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４３】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化により、Ｉｇプロトタイプが３つのフラグメントに切断される。１つの完全なＬ鎖と約半分のＨ鎖とをそれぞれが含む２つの同一のアミノ末端フラグメントが、抗原結合フラグメント（Ｆａｂ）である。サイズは同等であるが鎖間ジスルフィド結合を有する両方の重鎖の半分の位置でカルボキシル末端を含む第３のフラグメントは、結晶化可能なフラグメント（Ｆｃ）である。Ｆｃは、炭水化物、相補結合部位、およびＦｃＲ部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合を、Ｆａｂ’を得るために切断することができる。さらに、重鎖および軽鎖の可変領域を融合して、単鎖可変フラグメント（ｓｃＦｖ）を形成することができる。
【００４４】
薬学的に許容可能な塩は、たとえば、酸付加塩および塩基性塩である。酸付加塩は、たとえば、ＨＣｌまたはＨＢｒ塩である。塩基性塩は、たとえば、アルカリもしくはアルカリ土類、たとえば、Ｎａ＋、もしくはＫ＋、もしくはＣａ２＋から選択されるカチオン、またはアンモニウムイオンＮ＋（Ｒ１）（Ｒ２）（Ｒ３）（Ｒ４）、（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容可能な塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４５】
薬学的に許容可能な溶媒和物は、たとえば、水和物である。
【００４６】
次に、添付の図面を参照して本発明の非限定的な例示的な実施形態について述べる。
【図面の簡単な説明】
【００４７】
【図１】本発明の一態様による用量設定機構を含む薬物送達デバイスの図である。
【図２】キャップが取り外されカートリッジホルダが見える、図１の薬物送達デバイスの図である。
【図３】支承部の組み立て前の本発明による薬物送達デバイスの一実施形態の断面図である。
【図４】支承部の組み立て後の図１の実施形態の断面図である。
【発明を実施するための形態】
【００４８】
図１を参照すると、図面には、例示的な配置による薬物送達デバイス１が示されている。薬物送達デバイス１は、遠位に配置されたカートリッジ保持部材２と、近位に配置された用量設定機構３とを含む。薬物送達デバイスは、再設定可能薬物送達デバイス（すなわち、再使用可能デバイス）、あるいは再設定不可能薬物送達デバイス（すなわち、再使用不可能デバイス）であってよい。カートリッジ保持部材２および用量設定機構３は、連結機能によって一緒に固定される。再設定不可能デバイスの場合、これらの連結機能は、恒久的、または不可逆的となる。再設定可能デバイスの場合、これらの連結機能は解放可能となる。
【００４９】
この例示的な配置では、カートリッジ保持部材２は、用量設定機構３内に固定される。着脱可能キャップ４は、カートリッジ保持部材２の上に解放可能に保持される。用量設定機構３は、外側ハウジング５に入っており、用量ダイヤルグリップ６と、窓またはレンズ７とを含む。用量スケール装置８は、窓またはレンズ７を通して見ることができる。
【００５０】
薬物送達デバイス１に含まれる医薬品の用量を設定するには、使用者は、ダイヤル設定用量が用量スケール装置８によって窓またはレンズ７内に見えるように、外側ハウジング５に対して用量ダイヤルグリップ６を回転させる。用量の設定は、図２に示されるように外側ハウジング５に対する用量ダイヤルグリップ６の近位方向運動を含むことができる。用量の投薬は、用量ダイヤルグリップを遠位方向に押し戻すことを含むことができる。
【００５１】
図２は、カバーキャップ４がデバイス１の遠位端から取り外された状態の図１の薬物送達デバイス１を示している。この取り外しによってカートリッジホルダ９が露出する。いくつかの用量の医薬製品を投薬することができるカートリッジ（図示せず）は、カートリッジホルダ９内に提供される。カートリッジは、その近位端近くに保持された栓またはストッパ（図２には示されない）を含む。
【００５２】
薬物送達デバイス、具体的には用量設定機構３は、内側ハウジング１０またはインサートをさらに含むことができる。内側ハウジング１０またはインサートは、図３に示されるような別個の構成要素部材であってよく、または外側ハウジング５の一体部材であってもよい。薬物送達デバイスは、カートリッジ保持部材２の方に向いた遠位端と反対の近位端とを有するピストンロッド１１またはスピンドルをさらに含む。
【００５３】
図３に示される実施形態では、内側ハウジング１０は、ピストンロッド１１を受ける中央開口部１２を備える。図示の実施形態の代替として、開口部１２を外側ハウジング５に直接設けてもよい。開口部１２は、ピストンロッド１１の外側ねじ山１４と相互作用する内側ねじ山１３を備える。したがって、内側ハウジング１０に対してピストンロッド１１が回転すると、内側ハウジング１０に対してピストンロッド１１が軸方向に変位することになる。ピストンロッド１１の遠位端は、たとえば２つの可撓性フック１５を含む、雌スナップ機能を備える。フック１５は、雌スナップ機能が広がるように、径方向に弾性的に変形することができるように設計される。
【００５４】
内側ねじ山１３を含む中央開口部１２と可撓性フック１５の寸法は、中央開口部１２および内側ねじ山１３が、図３および図４に示されるようなフックが応力を受けていない（静止）状態にあるときに可撓性フック１５に干渉しないように選ばれる。しかし、内側ねじ山１３を含む中央開口部１２は、実質的に、可撓性フック１５が径方向に広がることを防ぐ。少なくとも１つの可撓性フック１５は、第１の取り付け要素を構築する。
【００５５】
薬物送達デバイスは、ピストンロッド１１の取り付けに先立って、図３に示される支承部１６をさらに含む。支承部１６は、実質的に円盤形をしており、近位方向に延びるスピゴット１７またはステムを含む。スピゴット１７は、その近位端と支承部１６の円盤形部分との間に配置された環状の凹部１８または溝を備える。凹部１８を含むスピゴット１７は、第２の取り付け要素を構築する。スピゴット１７と凹部１８の寸法は、可撓性フック１５内へのスピゴット１７のスナップ係合によってピストンロッド１１の遠位端に支承部１６を取り付けることができるように、ピストンロッド１１の雌スナップ機能、すなわち可撓性フック１５の寸法に適用される。
【００５６】
図３および図４に示される実施形態の代替として、凹部を含むスピゴットをピストンロッド１１に設け、雌スナップ機能を支承部１６に設けてもよい。
【００５７】
図３および図４は、薬物送達デバイス１の組み立ての間、特にピストンロッド１１への支承部１６の取り付けの間の２つの工程を示している。図３は、内側ハウジング１０のねじ山１３を通って遠位取り付け位置へと前進させられ、支承部１６に留められそうなピストンロッド１１を示している。ピストンロッド１１を支承部１６に留めるには、支承部を（図３に見られるように）右に押すか、スナップ連結を完全に組み立てるのに必要な量と同じだけ内側ハウジング１０のねじ付開口部の中でピストンロッド１１を回転させることによってピストンロッド１１を前進させることができるかのどちらかである。
【００５８】
図４では、ピストンロッド１１は支承部に留められており、次いで、ピストンロッド１１が逆方向に回転され、それによってピストンロッド１１は軸方向に（図４に見られるように）右に動き、支承部１６を内側ハウジング１０のねじ山形態１３の領域へと引き戻す。ピストンロッド１１のこの後退は、スナップ（フック１５）の径方向外方の偏向をロックする働きをし、したがって支承部１６は、大きな力が掛けられない限り外れないようになる。
【００５９】
図面に示される例では、内側ハウジング１０は、開口部１２に対して遠位方向に延びる実質的に円筒形の連結部分１９を備える。連結部分１９は、外側ハウジング５に内側ハウジング１０がしっかりと拘束されるように適用される。
【００６０】
図３および図４の例示的な実施形態では、薬物送達デバイスは、ピストンロッド１１とたとえばスプライン係合により相互作用するドライバ２０をさらに含む。ドライバ２０は、薬物送達デバイス１から投薬することができる薬物の最大量を制限することができるナット２１に係合する外側ねじ山を備えることができる。図３および図４は、さらに、用量ダイヤルグリップ６および／または用量スケール装置８の一体部分であってよい用量設定スリーブ２２の一部分を示している。代替として、用量設定スリーブ２２は、用量ダイヤルグリップ６および／または用量スケール装置８および／またはドライバ２０に連結してもよい。
【００６１】
たとえば、用量設定は、用量ダイヤルグリップ６により用量設定スリーブ２２を第１の方向に回転させることを含むことができる。この回転は、外側ハウジング５および内側ハウジング１０に対する回転、ならびに／またはドライバ２０に対する回転とすることができる。
【００６２】
用量投薬は、用量設定スリーブ２２を第１の方向とは反対の第２の方向に回転させることを含むことができる。用量投薬の間、ドライバ２０は、用量設定スリーブ２２に回転不能に連結することができる。ドライバ２０の回転はピストンロッド１１に伝わり、ドライバが回転したときにピストンロッド１１は内側ハウジング１０とのねじ係合により遠位方向に動くことができる。ピストンロッド１１と支承部１６の遠位方向運動は、カートリッジ内の栓を遠位方向に押し、それによってある用量の薬剤が投薬される。
【００６３】
代替として、用量投薬の間の用量設定スリーブ２２の回転は、ピストンロッド１１とのねじインターフェースを介して伝達されるドライバ２０の軸方向運動または螺旋運動を含むことができる。これは、結果的に、ピストンロッド１１と支承部１６の純粋な軸方向運動、または軸方向運動と回転運動が組み合わさったものになり、それによってカートリッジ内の栓が遠位方向に押され、ある用量の薬剤が投薬される。
【符号の説明】
【００６４】
１  薬物送達デバイス
２  カートリッジホルダ
３  ハウジング
４  用量設定機構
５  キャップ
６  用量ダイヤルグリップ
７  窓／レンズ
８  用量スケール装置
９  カートリッジホルダ
１０  内側ハウジング
１１  ピストンロッド
１２  開口部
１３  内側ねじ山
１４  外側ねじ山
１５  フック／雌スナップ機能（第１の取り付け要素）
１６  支承部
１７  スピゴット（第２の取り付け要素）
１８  凹部
１９  連結部分
２０  ドライバ
２１  ナット
２２  用量設定スリーブ
【図１】
2021531123.tif 000003
【図２】
2021531123.tif 000004
【図３】
2021531123.tif 000005
【図４】
2021531123.tif 000006
【国際調査報告】
2021531123.tif 000007
2021531123.tif 000008
2021531123.tif 000009